(57)【要約】【課題】ハードキーを備えていない操作部を用いて、サービスメンテナンス作業を円滑に行うこと。【解決手段】タッチパネル２０４を有し、入力のためのハードキーが設けられていない操作部２０１を備えるプリンタ１００であって、操作部２０１は、プリンタ１００のメンテナンス作業を行うメンテナンスサービスモードを起動するためのキートップ２０６を有し、キートップ２０６は、操作部２０１の背面側の凹部２１１に設けられ、凹部２１１は、開閉可能な蓋２０８で覆われており、メンテナンスサービスモードは、キートップ２０６を押下しながら、プリンタ１００の電源スイッチ２２０をオンすることにより起動される。【選択図】図３
2020075421.tif 000002
【特許請求の範囲】
【請求項１】
タッチパネルを有し、入力のためのハードキーが設けられていない操作部を備える画像形成装置であって、
前記操作部は、前記画像形成装置のメンテナンス作業を行うメンテナンスサービスモードを起動するためのスイッチ部を有し、
前記スイッチ部は、前記操作部の背面側の凹部に設けられ、
前記凹部は、開閉可能なカバーで覆われており、
前記メンテナンスサービスモードは、前記スイッチ部を押下しながら、前記画像形成装置の電源スイッチをオンすることにより起動されることを特徴とする画像形成装置。
【請求項２】
前記カバーは、前記カバーが閉じられた状態のとき、前記操作部の前記背面に設けられた穴部に係止して前記カバーを前記操作部に対してロック可能なロック機構を有することを特徴とする請求項１に記載の画像形成装置。
【請求項３】
前記操作部は、前記タッチパネルを制御するための制御基板を有し、
前記スイッチ部は、複数のキートップを有し、
前記制御基板は、各々の前記キートップに対向する位置に前記キートップが押下されたことを検知するタクティールスイッチを有していることを特徴とする請求項２に記載の画像形成装置。
【請求項４】
複数の前記キートップのうち、所定のキートップには、凸形状の突起が設けられていることを特徴とする請求項３に記載の画像形成装置。
【請求項５】
前記キートップは、前記操作部の側面から指が届く距離の位置に設けられ、前記側面に平行に配置されていることを特徴とする請求項４に記載の画像形成装置。
【請求項６】
前記操作部の側面は、前記操作部に正対して、左側の側面であることを特徴とする請求項５に記載の画像形成装置。
【請求項７】
前記凹部は、両手で前記キートップ及び前記電源スイッチを操作できるように、前記操作部の前記電源スイッチから離れた側の側面の近傍に設けられていることを特徴とする請求項５又は請求項６に記載の画像形成装置。
【発明の詳細な説明】
【技術分野】
【０００１】
本発明は、電子写真方式で画像形成を行う画像形成装置に関する。
【背景技術】
【０００２】
近年、画像形成装置が多機能化するのにともない、表示や入力を行う操作部のタッチパネルを搭載した表示部が大型化している。また、ＩＣカードでユーザの認証や管理を行うため、操作部の横にＩＣカードリーダＢＯＸ部を併設した画像形成装置が主流となっている。図７は、このような特徴を有する従来のプリンタ１００の操作部２０１周辺を拡大した斜視図である。プリンタ１００は、電源スイッチ２２０をオンすることにより起動され、印刷ジョブが実行されて画像形成された用紙は、排出部１７に排出される。また、操作部２０１は、プリンタ１００上部に備えられた、画像を読み取るリーダ３０１にビスで締結固定されている。操作部２０１は、表示部を内包したタッチパネル２０４と、テンキーやスタートキーなどのハードキーを有するハードキー部２３０が設けられている。図７の操作部２０１の左側には、ＩＣカード認証機能を有するＩＣカードリーダＢＯＸ部２０２が設けられている。プリンタ１００の利用者は、ＩＣカードリーダＢＯＸ部２０２の上面２０２ａ部に、ＩＣカードを近接させることにより、ＩＣカードリーダがＩＣカードより利用者情報を読み取り、認証することで、利用者はプリンタ１００を利用することができる。ところが、ハードキー部２３０やタッチパネル２０４を有する操作部２０１や、ＩＣカードリーダＢＯＸ部２０２が装置前部に併設されることにより、排出部１７を上面から見えにくくしている。そのため、排出部１７に排出された小サイズの用紙の視認性が低下したり、用紙を取り出す際に操作部等に用紙や手が触れたりして、操作性の低下を招いている。
【０００３】
この課題を解決するため、例えば、特許文献１ではハードキー部で行っていた操作をタッチパネルで行うように、キーレスパネルを備えた画像形成装置が提案されている。図８は、特許文献１で提案された画像形成装置の構成を示す斜視図である。図８に示すように、操作パネル部２１は、ハードキー部で行っていた操作を、タッチパネルを介して行う構成であり、従来、図７に示す表示部を内包したタッチパネル２０４の横に配置されていたテンキー等のハードキー部２３０をなくしたキーレスパネルである。ハードキー部がなくなったことにより、操作パネル部２１を小型化（特に、横幅を小さく）することができ、操作パネル部２１と画像形成装置との間に十分な幅の開放空間を確保することが可能になる。その結果、使用者が画像読取り部２３と画像形成部２４の間に設けられた排出部２２を上面から覗き込む際に、操作パネル部２１により遮蔽される範囲が小さくなるため、排出部２２に排出される用紙の視認性が格段に向上する。
【先行技術文献】
【特許文献】
【０００４】
【特許文献１】特開２０１２−４２８８８号公報
【発明の概要】
【発明が解決しようとする課題】
【０００５】
キーレスパネルを導入することにより、従来の操作部に設けられていたハードキー部によるボタン操作が、すべてタッチパネル上での操作に変わることになる。ところが、操作部からハードキー部がなくなることにより、サービスメンテナンス作業を行う上で、次のような課題が生じる。例えばタッチパネル自体が破損してしまった場合には、タッチパネルの部品を交換する際に、タッチパネルの座標を再設定する必要がある。そのため、操作部の表示画面にサービスメンテナンス画面を表示させる必要がある。従来は、サービスメンテナンス画面を表示させるには、図７に示す操作部２０１に設けられていたハードキーを押すことで、サービスメンテナンス画面が起動されるようになっていた。サービスメンテナンス画面はサービスマン専用に提供される画面であり、画像形成装置のユーザが、容易にサービスメンテナンス画面が起動されないように、複雑な操作を介して画面が起動されるようになっている。例えば、電源を入れた後で、タッチパネル以外に設けられた複数のハードキーを通常の使用者が使わない操作タイミングで押すことでサービスメンテナンス画面に入る例があったが、ハードキーがなくなると、これらの作業ができなくなる課題があった。
【０００６】
このように、操作部２０１からハードキー部２３０がなくなることにより操作部２０１が小型化され、排出部に排出された用紙の視認性は格段に向上する。その反面、操作部のハードキーは、サービスマンがメンテナンス作業等で使用するための機能スイッチとして役割も有している。そのため、上述したサービスメンテナンス作業時の操作のため、従来のハードキーの代替となるスイッチ機能を別に設ける必要があった。
【０００７】
本発明は、このような状況のもとでなされたもので、ハードキーを備えていない操作部を用いて、サービスメンテナンス作業を円滑に行うことを目的とする。
【課題を解決するための手段】
【０００８】
上述した課題を解決するために、本発明では、以下の構成を備える。
【０００９】
（１）タッチパネルを有し、入力のためのハードキーが設けられていない操作部を備える画像形成装置であって、前記操作部は、前記画像形成装置のメンテナンス作業を行うメンテナンスサービスモードを起動するためのスイッチ部を有し、前記スイッチ部は、前記操作部の背面側の凹部に設けられ、前記凹部は、開閉可能なカバーで覆われており、前記メンテナンスサービスモードは、前記スイッチ部を押下しながら、前記画像形成装置の電源スイッチをオンすることにより起動されることを特徴とする画像形成装置。
【発明の効果】
【００１０】
本発明によれば、ハードキーを備えていない操作部を用いて、サービスメンテナンス作業を円滑に行うことができる。
【図面の簡単な説明】
【００１１】
【図１】実施例の画像形成装置の構成を示す概略断面図
【図２】実施例の画像形成装置の操作部周辺の斜視図
【図３】実施例の操作部をＡ−Ａ線で切断した断面図
【図４】実施例の操作部をＡ−Ａ線で切断した断面図
【図５】実施例の操作部の背面を示す斜視図
【図６】実施例のサービスモードの画面表示の一例を示す図
【図７】従来例のハードキー部を有した操作部の斜視図
【図８】従来例のキーレス操作部を有する画像形成装置の斜視図
【発明を実施するための形態】
【００１２】
以下、図面を参照しつつ本発明の実施の形態について詳細に説明する。
【実施例】
【００１３】
［画像形成装置の説明］
実施例の画像形成装置であるプリンタ１００の構成について、図１を参照しながら説明する。図１は、プリンタ１００の構成を示す概略断面図である。図１に示すように、プリンタ１００は、複数のシートＳを収納する給紙カセット１１と、給紙カセット１１からシートＳを給紙及び搬送するシート搬送部１０３と、を備えている。また、プリンタ１００は、シート搬送部１０３により搬送されるシートＳに画像を形成する画像形成部１０４と、画像が形成されたシートＳを排出する排出ローラ１６と、排出されたシートＳが積載される排出部１７と、を備えている。シート搬送部１０３は、給紙カセット１１に収納されたシートＳを摩擦分離方式により１枚ずつ給紙する給紙ローラ１２と、給紙されたシートＳを更に搬送する、第１ローラ３０と第２ローラ２０とを有する搬送ローラ対１３と、を備えている。また、シート搬送部１０３は、搬送ローラ対１３に搬送されるシートＳの斜行を補正する斜行補正機構８０を備えている。プリンタ１００は、給紙ローラ１２及び搬送ローラ対１３の駆動を含むシート搬送部１０３全体を制御する制御手段である制御部７０を備えている。なお、制御部７０は、シート搬送部１０３だけでなく画像形成部１０４を含むプリンタ１００全体の制御を行う。
【００１４】
画像形成部１０４は、イエロー（Ｙ）、マゼンタ（Ｍ）、シアン（Ｃ）及びブラック（Ｋ）の各色の画像を形成する４つのプロセスカートリッジＰａ、Ｐｂ、Ｐｃ、Ｐｄを備えている。また、画像形成部１０４は、画像情報に基づいてレーザ光を照射する露光装置７ａ、７ｂ、７ｃ、７ｄを備えている。符号末尾のａ、ｂ、ｃ、ｄは、それぞれトナーの色がイエロー（Ｙ）、マゼンタ（Ｍ）、シアン（Ｃ）、ブラック（Ｋ）に対応する装置、部材であることを示している。なお、以下では、特定のトナーの色に限定される場合を除き、符号末尾のａ〜ｄの付与は省略する。
【００１５】
プロセスカートリッジＰは、静電潜像が形成される感光ドラム６を備えている。各プロセスカートリッジは、形成する画像のトナーの色が異なること以外は同じ構成を有している。画像形成部１０４は、各感光ドラム６上に形成されたトナー像が転写される無端状の中間転写ベルト２と、感光ドラム６上のトナー像を中間転写ベルト２に転写するための一次転写ローラ５と、を備えている。一次転写ローラ５は、中間転写ベルト２を感光ドラム６との間に狭持することで、一次転写部Ｔ１を形成する。一次転写部Ｔ１では、感光ドラム６上に形成された各色のトナー像が中間転写ベルト２に転写される。
【００１６】
画像形成部１０４は、中間転写ベルト２を張架する二次転写内ローラ１と、テンションローラ３と、二次転写上流ローラ８と、中間転写ベルト２をクリーニングするクリーニング部４と、を備えている。更に、画像形成部１０４は、プロセスカートリッジＰにトナーを供給するトナーカートリッジＴを備えている。また、画像形成部１０４は、中間転写ベルト２に転写されたトナー像をシートＳに転写する二次転写ローラ１４と、シートＳに転写された未定着のトナー像を加熱及び加圧してシートＳに定着させる定着部１５と、を備えている。
【００１７】
次に、プリンタ１００の画像形成動作について説明する。操作部２０１の設定に従ってプリントジョブが開始されると、外部ＰＣ等から入力されたプリントジョブの画像情報に基づいて露光装置７が感光ドラム６にレーザ光を照射する。感光ドラム６は、予め所定の電位に帯電されており、露光装置７からレーザ光が照射されることで、感光ドラム６上には、静電潜像が形成される。その後、感光ドラム６上に形成された静電潜像にはトナーが付着され、感光ドラム６上にイエロー（Ｙ）、マゼンタ（Ｍ）、シアン（Ｃ）、ブラック（Ｋ）の各トナー像が形成される。
【００１８】
一次転写部Ｔ１において、一次転写ローラ５には一次転写バイアスが印加されるとともに、中間転写ベルト２は一次転写ローラ５により感光ドラム６の方向に押圧される。これにより、感光ドラム６上に形成された各色のトナー像は、一次転写部Ｔ１において、感光ドラム６から順次、中間転写ベルト２に重畳して転写される。中間転写ベルト２に重畳転写された４色のトナー像は、中間転写ベルト２の回転駆動により二次転写ローラ１４まで搬送される。
【００１９】
一方、画像形成部のトナー像の形成動作に並行して、給紙カセット１１に収納されたシートＳは、給紙ローラ１２により１枚ずつ給紙され、所定のタイミングで搬送ローラ対１３に搬送される。搬送ローラ対１３は、斜行補正機構８０によりシートＳの斜行を補正しつつ、シートＳを二次転写ローラ１４と中間転写ベルト２とが当接する二次転写部Ｔ２に搬送する。二次転写部Ｔ２では、二次転写ローラ１４に二次転写バイアスが印加されるとともに、シートＳは二次転写ローラ１４と中間転写ベルト２とで狭持搬送されることにより、中間転写ベルト２上に形成された４色のトナー像がシートＳに転写される。トナー像が転写されたシートＳは、加熱ローラ１８と搬送ローラ１９を備える定着部１５へ搬送され、定着部１５で加熱及び加圧され、未定着のトナー像がシートＳに定着される。その後、トナー像が定着されたシートＳは、排出ローラ１６により排出部１７に排出されて、一連の画像形成動作が終了する。
【００２０】
また、プリンタ１００の上部には、画像の読み取りを行うリーダ３０１や、情報表示やデータ入力を行うための操作部２０１、ＩＣカードリーダ部２０３が設けられている。
【００２１】
［画像形成装置の操作部］
図２は、図１で説明したプリンタ１００の操作部２０１の周辺を拡大した斜視図である。図２を参照して、操作部２０１及び操作部２０１周辺の装置構成について説明する。図２において、操作部２０１は、表示部２０９（図３参照）を内包するタッチパネル２０４を有している。操作部２０１は、前述した従来例の図７の操作部２０１と比べて、ハードキー部２３０がなくなっているため、小型化されている。また、図７では、操作部２０１の左側に併設されていたＩＣカードリーダＢＯＸ部２０２は、図２ではＩＣカードリーダ部２０３として、操作部２０１の右側に設置されている。ＩＣカードリーダ部２０３は、ＩＣカード認証機能を有するＩＣカードリーダを内包している。プリンタ１００の利用者は、ＩＣカードリーダ部２０３の上面２０３ａ部にＩＣカードを近接させることにより、ＩＣカードリーダがＩＣカードより利用者情報を読み取り、認証することで、利用者はプリンタ１００を利用することができる。また、電源スイッチ２２０は、プリンタ１００の主電源をオン、オフするためのシーソースイッチであり、スイッチ操作により電源オンの位置、又は電源オフの位置で、状態を保持する構成となっている。
【００２２】
従来例の図７では、ＩＣカードリーダＢＯＸ部２０２は、操作部２０１の左側に設けられ、排出部１７を遮蔽し、排出部１７に排出された用紙の視認性を低下させていた。一方、本実施例のプリンタ１００では、ＩＣカードリーダ部２０３は、本実施例の図２に示すように、操作部２０１の右側に設けられたことにより、排出部１７に排出された用紙の視認性が向上している。
【００２３】
なお、図２において、Ａは、後述する図３、４に示す操作部２０１の切断線を示す。また、矢線Ｂ〜矢線Ｆは、操作部２０１の視方向を示している。すなわち、矢線Ｂは操作部２０１を背面側から見る方向、矢線Ｃは操作部２０１のタッチパネル２０４を上から見る方向、矢線Ｄは操作部２０１を図中左側から見る方向、矢線Ｅは操作部２０１を図中右側から見る方向を、それぞれ示している。
【００２４】
［操作部の内部構成］
図３は、図２に示す操作部２０１をＡ−Ａ切断線に沿って切断し、操作部２０１の内部構成を示す模式図である。図３中、矢線Ｂ、Ｃ、Ｄ、Ｅは、それぞれ図２で説明した操作部２０１の視方向である。操作部２０１は、操作部ケース２１０の内部に、ＬＣＤ方式の表示部２０９を有している。プリンタ１００のユーザは、タッチパネル２０４を介して（タッチパネル２０４越しに）表示部２０９を視認することができる。また、タッチパネル２０４は、ユーザがタッチパネル２０４のどの位置（どの個所）を押したか（押圧したか）どうかを検知することができる。制御基板２０５は、タッチパネル２０４の押圧検知や表示部２０９の表示を制御する。制御基板２０５は、制御ケーブル（不図示）を介して、プリンタ１００の制御基板（不図示）と接続されている。また、電源スイッチ２２０がオンされると、プリンタ１００の制御基板及び制御ケーブルを介して、制御基板２０５に電力が供給される構成となっている。
【００２５】
操作部ケース２１０は、背面側に回動軸２０８ａを中心に開閉可能な蓋（カバーともいう）２０８を有しており、図３は蓋２０８が閉じられた状態を示している。蓋２０８の内側には、スイッチ部であるキートップ（ボタン）２０６が設けられた凹部２１１を有している。制御基板２０５のキートップ２０６に対向する位置には、タクティールスイッチ２０７が設けられており、キートップ２０６が押されると、タクティールスイッチ２０７が押され、キートップ２０６が押されたことが検知できる構成となっている。
【００２６】
図３は、蓋２０８が閉じた状態の操作部２０１を示す断面図で、キートップ２０６は蓋２０８が閉じられた状態では、外部からはアクセスできない構成になっている。一方、図４は、蓋２０８が、図３に示す閉じられた状態から、回動軸２０８ａを中心に回動し、開いている状態を示す模式図である。図４では、凹部２１１に設けられたキートップ２０６は、蓋２０８が開いた状態となっており、外部からアクセス可能になっている。
【００２７】
［操作部のキートップ］
図５は、図２に示す操作部２０１の左側端部付近の背面側に設けられた蓋２０８が開いた状態の凹部２１１周辺を拡大した斜視図である。図５において、矢線Ｂ、Ｃ、Ｄ、Ｅ、Ｆは、それぞれ、図２において操作部２０１を背面側から、上面側から、左側から、右側から、リーダ３０１側から見るときの視方向を示している。このように、キートップ２０６が設けられた凹部２１１は、図２に示す操作部２０１に正対して、図中、左側の側面の裏側に設けられている。
【００２８】
図５は、操作部２０１の側面の近傍に設けられた凹部２１１の蓋２０８が２つの回動軸２０８ａを中心に回動し、開いた状態を示している。蓋２０８を閉じる際に、蓋２０８に設けられたロック機構２０８ｃが操作部ケース２１０に当接する位置に穴部２１０ａが設けられている。ロック機構２０８ｃが穴部２１０ａに係止することで、蓋２０８が操作部ケース２１０に固定される、ロック可能な構成（図３に示す状態）となっている。また、図３のように、蓋２０８が閉じられた状態から、図４のように蓋２０８を開く際には、ロック機構２０８ｃをマイナスドライバー等で押すことにより、蓋２０８はロック機構２０８ｃにより固定された状態から解除される。そして、蓋２０８を回動軸２０８ａを中心に回動させることで、蓋２０８が開く構成になっている。ロック機構２０８ｃは、ドライバ等の工具を用いないと解除されないため、プリンタ１００のユーザの手指が触れても、容易に蓋２０８が開かない構成になっている。
【００２９】
図５に示すように、凹部２１１には、３つのキートップ（ボタン）２０６ａ、２０６ｂ、２０６ｃが設けられている。なお、前述したように、制御基板２０５の各キートップ２０６ａ、２０６ｂ、２０６ｃが対向する位置には、タクティールスイッチ２０７が設けられている。本実施例では、キートップ２０６ａ、２０６ｂ、２０６ｃは、それぞれキーピッチ（キーの中心間距離）が約２０ｍｍ、キーサイズ（キーの直径）が１０ｍｍである。また、図５において、図中上部側のキートップ２０６ａには、中央部に凸形状の突起２０６ｄが設けられている。メンテナンス作業を行う際に、サービスマンの指先が突起２０６ｄに触れることにより、キートップ２０６ａであることを識別できる構成になっている。また、本実施例では、３つのキートップ２０６ａ、２０６ｂ、２０６ｃは、図２に示す操作部ケース２１０の左側面から指が届く程度の範囲の距離（左側面の端部から約２０ｍｍ〜７０ｍｍ）に、左側面に沿って平行に配置されている。このような範囲内に設定している理由としては、身体寸法の大きい米国人男性９５％のサイズを基準としたとしたときに、パネル等を掴むときの手の長さは約８５ｍｍを想定している。そのため、８５ｍｍ以下であれば、人差し指、中指、薬指が届いて、キーを押下できる範囲の距離であり、本実施例では、約２０ｍｍ〜７０ｍｍの範囲に含まれる約５０ｍｍとしている。
【００３０】
また、３つのキートップ２０６が設けられた凹部２１１を操作部ケース２１０の左側に設けているのは、次のような理由によるものである。すなわち、一般的に利き手が左手よりは右手の右利きの人が多く、メンテナンスモードの操作を行う際に、左手でキートップの操作を行い、右手で表示部の操作を行う方が操作がしやすいと考えられるからである。以上説明したように、サービスマンが蓋２０８を開いた状態で凹部２１１のキートップ２０６を押す際には、キートップ２０６ａ、２０６ｂ、２０６ｃのそれぞれに指をかけ、一つのキートップ２０６、又は複数のキートップ２０６を押下可能な構成になっている。
【００３１】
［サービススイッチとしてのキートップの使用例］
プリンタ１００で、各種のテストプリントや、故障の診断画面などメンテナンスサービス用の画面を起動する場合のキートップ２０６の使用例について説明する。電源スイッチ２２０がオフされた状態で、操作部ケース２１０の蓋２０８を開き、電源スイッチ２２０をオンする。その後、キートップ２０６ａを所定のタイミングで押下することにより、プリンタ１００の制御基板（不図示）は、プリンタ１００の保守・点検等を行うメンテナンスサービスモードの処理を起動する。そして、プリンタ１００の制御基板は、操作部２０１の制御基板２０５に、図６（ａ）に示すメンテナンスサービス用の画面表示を指示する。図６（ａ）は、メンテナンスサービスモードが指定された場合に操作部２０１の表示部２０９に表示されるメンテナンスモードのメニューを表示する画面の一例を示した図である。サービスマンは、表示部２０９の画面に表示されたモード１、モード２、モード３のうちから、該当のサービスを選択し、表示部分を押下すればよい。このように、サービスマンは、操作部２０１の表示部２０９に表示されたメンテナンスサービス用の画面で、各種テストプリントや故障の診断を実施することができる。
【００３２】
次に、プリンタ１００内のソフトウェアのアップデートを行う場合のキートップの使用例について説明する。電源スイッチ２２０がオフされた状態で、操作部ケース２１０の蓋２０８を開き、電源スイッチ２２０をオンする。その後、アップデートするソフトウェアが格納されたＵＳＢメモリを、プリンタ１００の制御部（不図示）と接続されたＵＳＢ端子に挿入する。次に、所定のタイミングで、キートップ２０６ｂを押す。本実施例では、キートップ２０６ｂを押下することで、プリンタ１００の制御基板は、メンテナンスサービスモードのうちの、ソフトウェアアップデートが起動されたと認識して、図６（ｂ）に示すメンテナンスサービス用の画面表示を指示する。図６（ｂ）は、ソフトウェアアップデートが指定された場合に操作部２０１の表示部２０９に表示される表示画面の一例を示した図である。サービスマンは、表示部２０９の画面に表示されたメッセージに従って、「１」を入力することにより、ＵＳＢコネクタに挿入されたＵＳＢメモリからのアップデートすべきソフトウェアが読み出され、ソフトウェアアップデートが実施される。
【００３３】
以上説明したように、小型化により上面にハードキーが設けられていない操作部２０１の背面部に、メンテナンス作業のためのキートップ２０６を設けることにより、従来と変わらないメンテナンス作業を円滑に行うことができる。特に、キートップ２０６は、操作部２０１の背面側に設けられているため、操作部２０１の前面からは視認しにくい。更に、キートップ２０６が設けられた凹部２１１は、ロック機構２０８ｃにより閉方向に係止された蓋２０８に覆われており、ロック機構２０８ｃを解除するにはドライバ等を必要とするため、使用者が誤って触れて開いてしまうこともない。
【００３４】
また、キートップ２０６は操作部２０１の背面側に設けられているため、サービスマンがキートップ２０６を使う際には、直接、視認することはできない。そのため、本実施例では、特定のキートップ２０６ａの表面に突起２０６ｄを設けることで、キートップ２０６を視認できなくても、指先が突起２０６ｄに触れることにより特定のキートップであることが分かる。そのため、キートップ２０６の順番を認識でき、良好な操作性を実現することができる。
【００３５】
更に、キートップ２０６は、操作部２０１の側面（図２に示す操作部２０１の左側面）からサービスマンの指が届く範囲で、かつ、操作部２０１の側面に沿って、略平行に配置されている。これにより、サービスマンは、操作部２０１の左側面に手をかけることで、指が交差することなく、キートップ２０６に触れることが可能となる。その結果、いくつかのサービスモードを設定可能にするために複数のキートップ２０６を設けていても、良好な操作性を実現することができる。また、キートップ２０６を操作しながら、オン操作が行えるように、電源スイッチ２２０は手が届く位置に配置されているため、キートップ２０６と電源スイッチ２２０を両手で操作することができる。
【００３６】
なお、本実施例の操作部２０１を制御する制御基板２０５は、タクティールスイッチ２０７を実装可能な構成であり、タクティールスイッチ２０７用に専用の基板を設ける必要がないため、操作部２０１の小型化とコスト低減を実現することができる。
【００３７】
また、本実施例では、図２に示すように、電源スイッチ２２０を操作部２０１の右側、キートップ２０６を操作部２０１の左側面に近い背面側に設けたが、この配置に限定されるものではない。例えば、電源スイッチ２２０を操作部２０１の左側、キートップ２０６を操作部２０１の右側面に近い背面側に設けても、同様な効果を奏することができる。
【００３８】
以上説明したように、本実施例によれば、ハードキーを備えていない操作部を用いて、サービスメンテナンス作業を円滑に行うことができる。
【符号の説明】
【００３９】
１００    プリンタ
２０１    操作部
２０４    タッチパネル
２０６    キートップ
２０８    蓋
２１１    凹部
２２０    電源スイッチ
【図１】
2020075421.tif 000003
【図２】
2020075421.tif 000004
【図３】
2020075421.tif 000005
【図４】
2020075421.tif 000006
【図５】
2020075421.tif 000007
【図６】
2020075421.tif 000008
【図７】
2020075421.tif 000009
【図８】
2020075421.tif 000010